(57)【要約】【課題】ソーラーパネルと呼ばれる光電素子が傷つくことを防止するとともに外観性を向上させ、光電素子のメンテナンスも容易にできるトラベルケースを提供すること。【解決手段】トラベルケース１０は、主物品を収納するケース本体にヒンジを介して蓋体１２が取り付けられている。蓋体１２の外面に、内方へ窪むとともに副物品を収納する布製内装部２１が形成され、この布製内装部２１は、開閉可能な透光性カバー３１で塞がれている。この透光性カバー３１の裏面に、光を電気に変換するソーラーシート（光電素子）５１が設けられている。【選択図】図７
0003202302.tif 000002
【実用新案登録請求の範囲】
【請求項１】
主物品を収納するケース本体にヒンジを介して蓋体が取り付けられているトラベルケースにおいて、
前記蓋体の外面に、内方へ窪むとともに副物品を収納可能な副収納部が形成され、
この副収納部を、開閉可能な透光性カバーで塞ぎ、
この透光性カバーの裏面に、光を電気に変換する光電素子が設けられていることを特徴とするトラベルケース。
【請求項２】
前記副収納部は、布製の布製内装部であることを特徴とする請求項１記載のトラベルケース。
【請求項３】
前記蓋体は、正面部と、この正面部の上縁から前記ケース本体へ延びる上部延長部とを有し、
前記副収納部は、前記正面部及び前記上部延長部に連続して形成されていることを特徴とする請求項１又は請求項２記載のトラベルケース。
【請求項４】
前記副収納部は、前記ケース本体の内部に開けることで連通する開閉手段を備えていることを特徴とする請求項１〜３のいずれか１項記載のトラベルケース。
【請求項５】
前記副収納部は、前記副物品を収納する内装ポケットを備えていることを特徴とする請求項１〜４のいずれか１項記載のトラベルケース。
【請求項６】
前記透光性カバーは、前記蓋体にサブヒンジを介して設けられていることを特徴とする請求項１〜５のいずれか１項記載のトラベルケース。
【請求項７】
前記蓋体は、前記透光性カバーを閉じた状態に保持する保持手段を備えていることを特徴とする請求項１〜６のいずれか１項記載のトラベルケース。
【請求項８】
前記保持手段は、前記蓋体と前記透光性カバーの外周とに設けられたスライドファスナーであることを特徴とする請求項７記載のトラベルケース。
【請求項９】
前記保持手段は、前記蓋体に設けられ前記透光性カバーを引っ掛ける引っ掛け部と、前記透光性カバーの外周に設けられ前記引っ掛け部を受ける受け部とで構成されることを特徴とする請求項７記載のトラベルケース。
【請求項１０】
前記透光性カバーの裏面に、前記光電素子を収納するポケットが設けられていることを特徴とする請求項１〜９のいずれか１項記載のトラベルケース。
【請求項１１】
前記ポケットは、前記透光性カバー及びこの透光性カバーの裏面に設けられた補強部材とによって構成され、前記光電素子は、腰が弱いフィルム又はシート状素子であり、前記ポケットに差し込まれて前記補強部材に支持されることを特徴とする請求項１０記載のトラベルケース。
【請求項１２】
前記補強部材のうち副収納部に対向する面に、前記副物品を保持する保持ネットが設けられていることを特徴とする請求項１１記載のトラベルケース。
【考案の詳細な説明】
【技術分野】
【０００１】
本考案は、ビジネスや旅行等で持ち運ぶトラベルケースに関し、特に、発電装置を備えたトラベルケースに関するものである。
【背景技術】
【０００２】
近年、ノートパソコン、タブレット、スマートフォン等の携帯端末や、電気かみそり等の電化製品の発達により、旅先に携帯端末や電化製品を持ち運ぶ機会が増えている。旅先では充電設備のあるホテル等で、携帯端末や電化製品を充電できれば問題ないが、僻地など充電設備が整っていない地域への旅行では、充電に苦労することがある。
【０００３】
一方、旅行では荷物の持ち運びに鞄やトラベルケースを使用することが多い。このため、鞄やトラベルケースに発電装置を収納して持ち運び、この発電装置で携帯端末等を充電すればよいが、充電の度に鞄やトラベルケースから発電装置を出しているのでは不便である。発電装置を鞄やトラベルケースから出さなくても充電できれば便利である。このような発電装置を備えた鞄が知られている（例えば、特許文献１（図２、図３）参照。）。
【０００４】
この特許文献１に示される鞄は、荷物を収納する箱状の収納部と、この収納部の外面に設けられた取っ手ユニットと、ソーラーパネルとからなる。取っ手ユニットは、手で握る取っ手と、取っ手の下方で且つ収納部の外面にソーラーパネルを保持する枠部とを有する。収納部の外面にソーラーパネルを配置し、その上からソーラーパネルの縁を枠部で押さえ、ねじで枠部を収納部に締結することでソーラーパネルが収納部の外面に保持される。
【０００５】
ソーラーパネルは、枠部内側の開口から光を受けて発電することができる。しかし、ソーラーパネルは、枠部内側の開口から剥き出しのため、傷つき易く、平積みが不可能となる。また、ソーラーパネルを保持するための専用部品である枠部を、収納部の外面に設けるので、外観性の点で改善の余地がある。さらに、傷等によりソーラーパネルを交換する場合に、ねじの締結を外してから取っ手ユニットを取り外す必要があり、手間が掛かる。そこで、ソーラーパネルが傷つくことを防止するとともに外観性を向上させ、ソーラーパネルのメンテナンスも容易にできる鞄やトラベルケースが求められている。
【先行技術文献】
【特許文献】
【０００６】
【特許文献１】実用新案登録第３１５０７０９号公報
【考案の概要】
【考案が解決しようとする課題】
【０００７】
本考案は、ソーラーパネルと呼ばれる光電素子が傷つくことを防止するとともに外観性を向上させ、光電素子のメンテナンスも容易にできるトラベルケースを提供することを課題とする。
【課題を解決するための手段】
【０００８】
請求項１に係る考案では、主物品を収納するケース本体にヒンジを介して蓋体が取り付けられているトラベルケースにおいて、前記蓋体の外面に、内方へ窪むとともに副物品を収納可能な布製の副収納部が形成され、この副収納部を、開閉可能な透光性カバーで塞ぎ、この透光性カバーの裏面に、光を電気に変換する光電素子が設けられていることを特徴とする。
【０００９】
請求項２に係る考案では、前記副収納部は、布製の布製内装部であることを特徴とする。
【００１０】
請求項３に係る考案では、蓋体は、正面部と、この正面部の上縁からケース本体へ延びる上部延長部とを有し、副収納部は、正面部及び上部延長部に連続して形成されていることを特徴とする。
【００１１】
請求項４に係る考案では、副収納部は、ケース本体の内部に開けることで連通する開閉手段を備えていることを特徴とする。
【００１２】
請求項５に係る考案では、副収納部は、副物品を収納する内装ポケットを備えていることを特徴とする。
【００１３】
請求項６に係る考案では、透光性カバーは、蓋体にサブヒンジを介して設けられていることを特徴とする。
【００１４】
請求項７に係る考案では、蓋体は、透光性カバーを閉じた状態に保持する保持手段を備えていることを特徴とする。
【００１５】
請求項８に係る考案では、保持手段は、蓋体と透光性カバーの外周とに設けられたスライドファスナーであることを特徴とする。
【００１６】
請求項９に係る考案では、保持手段は、蓋体に設けられ透光性カバーを引っ掛ける引っ掛け部と、透光性カバーの外周に設けられ引っ掛け部を受ける受け部とで構成されることを特徴とする。
【００１７】
請求項１０に係る考案では、透光性カバーの裏面に、光電素子を収納するポケットが設けられていることを特徴とする。
【００１８】
請求項１１に係る考案では、ポケットは、透光性カバー及びこの透光性カバーの裏面に設けられた補強部材とによって構成され、光電素子は、腰が弱いフィルム又はシート状素子であり、ポケットに差し込まれて補強部材に支持されることを特徴とする。
【００１９】
請求項１２に係る考案では、補強部材のうち副収納部に対向する面に、副物品を保持する保持ネットが設けられていることを特徴とする。
【考案の効果】
【００２０】
請求項１に係る考案では、主物品を収納するケース本体にヒンジを介して蓋体が取り付けられているトラベルケースにおいて、蓋体の外面に、内方へ窪むとともに副物品を収納可能な副収納部が形成されている。副収納部を、開閉可能な透光性カバーで塞ぎ、この透光性カバーの裏面に、光を電気に変換する光電素子が設けられているので、透光性カバーによって光電素子が傷つくことを防止できる。結果、旅行の際、飛行機の積荷としてトラベルケースが平積みされても、光電素子を保護することができる。
【００２１】
加えて、光電素子を透光性カバーで覆うので、トラベルケースの外観性を向上させることができる。さらに、開閉可能な透光性カバーを開けることで、光電素子を取り外すことができ、光電素子のメンテナンスを容易にできる。
【００２２】
請求項２に係る考案では、副収納部は、布製の布製内装部である。布製内装部は形状を自由に変更できるので、布製内装部がケース本体の内部側に大きく凹むことで、透光性カバーと布製内装部との間に多くの副物品を収納することができる。これと反対に布製内装部が透光性カバーに近づくことで、ケース本体に多くの主物品を収納することができ、収納の自由度を向上させることができる。
【００２３】
請求項３に係る考案では、蓋体は、正面部と、この正面部の上縁からケース本体へ延びる上部延長部とを有する。副収納部は、蓋体の正面部及び上部延長部に連続して形成されているので、透光性カバーの面積を広くし、光電素子の受光面積を広くすることができる。
【００２４】
請求項４に係る考案では、副収納部は、ケース本体の内部に開けることで連通する開閉手段を備えているので、透光性カバーを開いてさらに副収納部の開閉手段を開けることで、ケース本体へ主物品を出し入れすることができる。
【００２５】
請求項５に係る考案では、副収納部は、副物品を収納する内装ポケットを備えているので、内装ポケットに本やティッシュなどの副物品を収納でき使い勝手を向上させることができる。
【００２６】
請求項６に係る考案では、透光性カバーは、蓋体にサブヒンジを介して設けられているので、透光性カバーを容易に開閉でき、光電素子のメンテナンス性を向上することができる。
【００２７】
請求項７に係る考案では、蓋体は保持手段を備えているので、透光性カバーを閉じた状態に保持し、必要に応じて保持を解除して透光性カバーを開くことができる。
【００２８】
請求項８に係る考案では、蓋体と透光性カバーの外周とにスライドファスナーが設けられているので、スライドファスナーを閉めることで、外部から布製内装部内に汚れが浸入することを防止し、光電素子に汚れが付着することを防ぐことができる。
【００２９】
請求項９に係る考案では、保持手段は、蓋体に設けられ透光性カバーを引っ掛ける引っ掛け部と、透光性カバーの外周に設けられ引っ掛け部を受ける受け部とで構成されるので、引っ掛け部を外すだけで容易に透光性カバーを開くことができる。
【００３０】
請求項１０に係る考案では、透光性カバーの裏面に、光電素子を収納するポケットが設けられているので、光電素子を容易に装着することができる。
【００３１】
請求項１１に係る考案では、光電素子は、腰が弱いフィルム又はシート状素子である。フィルム又はシート状の光電素子であっても、ポケットに差し込むことで補強部材によって支持することができる。
【００３２】
請求項１２に係る考案では、補強部材のうち副収納部に対向する面に、副物品を保持する保持ネットが設けられているので、複数の副物品保持ネットに入れるとで、複数の副物品をバラバラにせずにまとめて収納することができる。
【図面の簡単な説明】
【００３３】
【図１】本考案に係るトラベルケース（透光性カバーは開いている。）の斜視図である。
【図２】図１の要部断面図である。
【図３】本考案に係るトラベルケースの斜視図である。
【図４】図３の要部断面図である。
【図５】透光性カバーの正面図である。
【図６】透光性カバーと光電素子と補強部材の相関を示す図である。
【図７】透光性カバーの作用図である。
【図８】光電素子を差し入れる手順を説明する図である。
【図９】図１の別態様に係るトラベルケースの斜視図である。
【図１０】保持手段の作用図である。
【図１１】別態様に係る保持手段の作用図である。
【考案を実施するための形態】
【００３４】
本考案の実施の形態を添付図に基づいて以下に説明する。なお、図面は符号の向きに見るものとする。
【実施例】
【００３５】
先ず、本考案の実施例を図面に基づいて説明する。
図１に示されるように、トラベルケース１０は、衣類などの主物品を収納するケース本体１１と、このケース本体１１に図示せぬヒンジを介して開閉可能に取り付けられた蓋体１２と、ケース本体１１に設けられた引出可能に伸縮取っ手１３と、ケース本体１１及び蓋体１２に設けられたキャスター１４とを備えている。
【００３６】
キャスター１４の取付位置をケース本体１１及び蓋体１２の下部とした場合に、伸縮取っ手１３はケース本体１１の背面上部に位置しており、伸縮取っ手１３を引き出し、手で把持することで、トラベルケース１０を牽引移動させることができる。また、キャスター１４を地面や床に設置することで、トラベルケース１０を自立させることができる。
【００３７】
ケース本体１１の上部には、伸縮取っ手１３とは別に、持ち運び用の上部把持部１５が、揺動可能、起伏又は引出可能に設けられている。さらに、ケース本体１１におけるヒンジの反対側の側部には、持ち運び用の側部把持部１６が揺動可能、起伏又は引出可能に設けられている。なお、上部把持部１５の形状及び側部把持部１６の形状は、実施例の形状に限定されず、固定式であってもよく、手で把持することができれば、他の一般的な取っ手の形状であっても差し支えない。また、側部把持部１６は、無くても差し支えない。
【００３８】
また、蓋体１２の外面１７に、内方へ窪むとともに携帯端末などの副物品を収納する副収納部（以下、布製内装部という）２１が形成されており、この布製内装部２１は、開閉可能な透光性カバー３１で塞がれている。透光性カバー３１は、蓋体１２に布製のサブヒンジ２２を介して開閉可能に設けられている。
【００３９】
なお、実施例では、サブヒンジ２２を布製としたが、これに限定されず、樹脂製、金属性等でもよく、透光性カバー３１を開閉することができれば、材質、構成はいずれであっても差し支えない。さらには、布製内装部２１を塞ぐ透光性カバー３１を開閉できれば、サブヒンジ３１が無くても差し支えない。また、実施例では、副収納部２１を布製の布製収納部としたが、これに限定されず、副収納部２１をＰＰ（ポリプロピレン）などの樹脂製としても差し支えない。
【００４０】
蓋体１２は、透光性カバー３１を閉じた状態に保持する保持手段（以下、スライドファスナーという）４１を備えている。蓋体１２と透光性カバー３１の外周には、スライドファスナー４１が設けられており、このスライドファスナー４１によって透光性カバー３１の外周が開閉される。また、布製内装部２１と透光性カバー３１とに布製のストッパー３１ａが設けられており、ストッパー３１ａによって透光性カバー３１の開きが所定の位置で規制される。なお、実施例では、ストッパ−３１ａを帯状の部材としたが、これに限定されず、プリーツ等であっても差し支えない。また、ストッパー３１ａは取り外し可能であり、ストッパー３１ａを取り外すことで、透光性カバー３１を大きく開くことができる。
【００４１】
次に布製内装部２１の形状及び透光性カバー３１の取付構造について説明する。
図１、図２に示されるように、蓋体１２はシェル状に形成されており、下部１２ａと、この下部１２ａから立ち上がる正面部１２ｂと、この正面部１２ｂの上縁１２ｃからケース本体１１へ延びる上部延長部１２ｄとを有する。
【００４２】
布製内装部２１は、蓋体１２の正面部１２ｂ及び上部延長部１２ｄに縫い付けられることで、正面部１２ｂ及び上部延長部１２ｄに連続して形成されている。布製内装部２１は、自由に形状を変えることができる材質で形成され、副物品を収納する内装ポケット２７を備えている
【００４３】
なお、布製内装部２１のは、シート状の繊維製品であれば、織物、不織布を問わず、さらには自由に形状を変えることができれば、綿、ビニール、ポリエチレン、ポリエステルなどの一般的な材料で構成されていればよい。
【００４４】
布製内装部２１は、ケース本体１１（蓋体１２）の内部に開けることで連通する開閉手段２８を備えている。開閉手段２８は、ファスナーである。開閉手段２８がファスナーであるので、閉めることでケース本体１１内部側と透光性カバー側を完全に仕切ることができる。また、開閉手段２８がファスナーであるので、ファスナーを開けることで容易にケース本体１１の内部へ主物品を出し入れすることができる。
【００４５】
なお、実施例では、開閉手段２８をファスナーとしたが、これに限定されず、開閉手段２８はホック、ボタン、面ファスナーであっても差し支えない。また、実施例では、開閉手段２８を設けたが、開閉手段２８は無くても差し支えない。
【００４６】
透光性カバー３１は、布製内装部２１の表面２３に対向するカバー正面部３２と、このカバー正面部３２の上部に形成されるカバー湾曲部３３と、このカバー湾曲部３３からケース本体１１へ延びるカバー延長部３４とを有する。
【００４７】
スライドファスナー４１は、第１テープ４２と、この第１テープ４２に先端に設けられる複数の第１エレメント４３と、第２テープ４４と、この第２テープ４４の先端に設けられる複数の第２エレメント４５と、この第２エレメント４５と第１エレメント４３を噛み合わせるスライダ４６とからなる。
【００４８】
透光性カバー３１の外周部には、断面Ｕ字状の第１フレーム３５が設けられており、この第１フレーム３５に第１テープ４２が配置され、第１フレーム３５及び第１テープ４２が共に透光性カバー３１の外周部に縫い付けられている。
【００４９】
また、布製内装部２１の縁は、蓋体１２の開口部に縫い付けられている。蓋体１２の開口部に、断面Ｔ字状の第２フレーム３６が設けられる。この第２フレーム３６に第２テープ４４が縫い付けられ、第２フレーム３６は、複数の締結部材３７で蓋体１２の開口部に締結されている。なお、実施例では第２フレーム３６を締結部材３７で蓋体１２の開口部に締結したが、これに限定されず、第２フレーム３６を蓋体１２の開口部に縫い付けても差し支えない。さらに、布製内装部２１と第２フレーム３６を共に蓋体１２の開口部に縫い付けても差し支えない。また、実施例では第２フレーム３６を設けたが、第２フレーム３６は無くてもよく、この場合は第２テープ４４を蓋体１２の開口部に直接縫い付け、サブヒンジ２２も第２フレーム３６を介さずに直接蓋体１２の開口部に設けてもよい。
【００５０】
次に透光性カバー３１を閉じた状態を説明する。
図３に示されるように、スライドファスナー４１を閉めて、透光性カバー３１を閉じた状態にすると、蓋体１２の外面１７に対して透光性カバー３１が面一の状態となる。このため、外観性を向上させるとともに、移動時に透光性カバー３１が障害物等に引っ掛かりにくくなり、容易にトラベルケース１０を持ち運ぶことができる。なお、実施例では、透光性カバー３１を閉じた状態において、蓋体１２の外面１７に対して透光性カバー３１が面一の状態としたが、これに限定されず、蓋体１２の外面１７に対して透光性カバー３１の面が外方に突出する形状や、蓋体１２の外面１７に対して透光性カバー３１の面が内方に窪む形状にしても差し支えない。
【００５１】
また、透光性カバー３１は、蓋体１２の正面部１２ｂから上部延長部１２ｄまで延びるように形成されており、受光面積を広くすることができる。このため、詳細は後述するが、透光性カバー３１の裏面に配置される光電素子５１の受光面積も広くすることができる。キャスター１４を地面に設置し、トラベルケース１０を立てた状態であっても、透光性カバー３１のカバー延長部３４から光を取り入れることができる。
【００５２】
また、蓋体１２の色は、光電素子５１の色と同色である。透光性カバー３１は光を遮らないようにするために、透明であることが好ましい。透光性カバー３１が透明であるため、透光性カバー３１を通して光電素子５１の色が外から見える。このため、透光性カバー３１と蓋体１２とを一体的に見せることができ、透光性カバー３１を通して見える光電素子５１と蓋体１２に一体感も持たせて外観性を向上させることができる。なお、透光性カバー３１は、透明であることが好ましいがこれに限定されず、光を通すことができれば半透明であってもよく、半透明の色は、黒、白、茶、青、緑、赤などいずれの色であっても差し支えない。また、実施例では、蓋体１２の色を光電阻止５１の色と同色としたが、異なる色にしてもよく、黒、白、茶、青、緑、赤など蓋体１２に一般的に使用される色としても差し支えない。
【００５３】
上部延長部１２ｄには、スライドファスナー４１のスライダ４６をロックするロック機構８０が設けられている。ロック機構８０でスライダ４６をロックすることで、透光性カバー３１を閉じた状態にロックすることができる。ロック機構８０のロックを解除することで、ケース本体１１に蓋体１２を閉じてロックした状態でも透光性カバー３１を開けて副物品を出し入れすることができる。
【００５４】
次に透光性カバー３１の光電素子支持構造について説明する。
図４、図５に示されるように、透光性カバー３１の裏面３８には、光電素子５１を収納するポケット６０が設けられている。ポケット６０は、透光性カバー３１の裏面３８側にて、外周に設けられた第１フレーム３５に接着される補強部材６１と、透光性カバー３１の裏面３８とによって構成されている。なお、実施例では補強部材６１を布としたが、これに限定されず、樹脂であっても差し支えない。
【００５５】
補強部材６１は、透光性カバー３１のカバー正面部３２からカバー湾曲部３３を越えて、カバー延長部３４の途中まで、裏面３８を覆うように形成されている。補強部材６１を第１フレーム３５に接着することで、透光性カバー３１を表側から見た際に、接着面を隠すことができ、外観性を向上させることができる。
【００５６】
なお、実施例では、補強部材を可撓性を有するシートとしたが、これに限定されず、光電素子５１を支持することができれば、板状の部材であっても差し支えない。また、補強部材６１を第１フレーム３５に接着したが、これに限定されず、縫い付けや、締結部材を用いて、取り付けても差し支えない。また、補強部材６１を第１フレーム３５に接着したが、これに限定されず、透光性カバー３１の裏面３８に直接取り付けても差し支えない。
【００５７】
光電素子５１は、腰が弱いフィルム又はシート状素子であり、ポケット６０に差し込まれて、補強部材６１に支持される。光電素子５１が、フィルム又はシート状素子であっても、補強部材６１がカバー延長部３４の途中まで形成されているので、光電素子５１を透光性カバー３１の裏面３８全体にわたって配置することができる。このため、光電素子５１の受光面積を広くし、発電効率を向上させることができる。
【００５８】
次に副物品を収納する保持ネットについて説明する。
図４、図６に示されるように、透光性カバー３１の裏面３８に、補強部材６１が配置され、補強部材６１の縁のうち上部を除いた部分が透光性カバー３１に縫製される。さらに、透光性カバー３１の縁及び補強部材６１の縁を共に第１フレーム３５に挟むことで、補強部材６１が透光性カバー３１に取り付けられる。補強部材６１の布製内装部２１に対向する面６２に、副物品を保持する保持ネット７１が設けられている。
【００５９】
保持ネット７１は、その上部に小さい副物品を保持する第１保持部７２及び第２保持部７３が設けられ、第１保持部７２及び第２保持部７３の下方に横方向に延びるクッション材７４が設けられ、クッション材７４の下方に大きい副物品を保持する第３保持部７５が設けられている。なお、保持ネット７１は、実施例では、網状のものを使用したが、これに限定されず、布製のであってもよく、第１保持部７２及び第２保持部７３等に副物品を収納することができればよく、ポケット状の部材が取り付いていれば材質は問わない。
【００６０】
補強部材６１の面６２の周縁部に第１粘着部材６３が設けられており、この第１粘着部材６３に、保持ネット７１の裏面に設けた第２粘着部材６４を貼り付けることで、保持ネット７１を補強部材６１に取り付けることができる。第１粘着部材６３及び第２粘着部材６４を繰り返し着脱できる部材とすることで、異なる種類の保持ネット７１に容易に交換することができる。なお、実施例では第１粘着部材６３及び第２粘着部材６４は、重ね合わせることで布同士を留める面ファスナーとしたが、着脱できればボタン式としてもよい。さらには、保持ネット７１は補強部材６１に着脱できなくてもよく、この場合、保持ネット７１を補強部材６１に縫製や接着しても差し支えない。
【００６１】
なお、シート状の光電素子５１には、ハーネス５２が設けられている。このようなハーネス５２付きのシート状光電素子５１は、所定の大きさのものを安価で入手することができ、本考案によれば、所定の大きさのシート状光電素子５１をそのまま取り付けることができるので、発電装置を備えたトラベルケース１０全体としても製造コストを低くすることができる。
【００６２】
以上に述べたトラベルケース１０の作用について説明する。
図７に示されるように、外部から矢印のように光を受けることで、光が透光性カバー３１を通過し、光電素子５１によって発電される。光電素子５１は、外部に露出しておらず、透光性カバー３１に保護されているので、傷が付くことを防止できる。
【００６３】
透光性カバー３１の裏面３８には、光電素子５１が収納されている。保持ネット７１の第２保持部７３に副物品（バッテリー）７６が保持され、第３保持部７５に副物品（携帯端末）７６が保持されている。光電素子５１から延びるハーネス５２を携帯端末７６に接続することで、携帯端末７７を充電することができる。また、ハーネス５２をバッテリー７６に接続することで、バッテリー７６を充電することができる。なお、実施例では、大型の携帯端末７６及びバッテリー７６を充電したが、これに限定されず、いわゆるスマートフォンやタブレットと呼ばれる小型の携帯端末であっても差し支えない。
【００６４】
布製内装部２１の内装ポケット２７には、副物品（本、ティッシュ）７７が収納されている。布製内装部２１は自由に変形するので、外部から透光性カバー３１に対して衝撃力が作用し透光性カバーが内方に凹んでも、布製内装部２１が変形して衝撃を逃がして副物品７６，７７を保護することができる。
【００６５】
さらに、布製内装部２１は形状を自由に変更できるので、布製内装部２１がケース本体１１（蓋体１２）の内部側に大きく凹むことで、透光性カバー３１と布製内装部２１との間に多くの副物品７６、７７を収納することができる。これと反対に布製内装部が透光性カバーに近づくことで、ケース本体に多くの主物品を収納することができ、収納の自由度を向上させることができる。
【００６６】
次に光電素子５１を差し入れる手順について説明する。
図８に示されるように、スライドファスナー４１を開けて、透光性カバー３１を開く。透光性カバー３１のポケット６０に、実線で示すシート状の光電素子（以下、ソーラーシートという。）５１を矢印のように差し込む。すると、想像線で示すソーラーシート５１は、補強部材６１によって支持される。
【００６７】
また、メンテナンスの際は、想像線で示すソーラーシート５１を、手で抜き取るだけでよい。このように、ソーラーシート５１を工具を使わずに、手だけで挿入及び取り出しができるので、ソーラーシートのメンテナンスを容易にできる。
【００６８】
次に、保持手段４１の別態様を説明する。なお、図１に示した構成と同一構成については同一符号を付け、詳細説明は省略する。
図９、図１０に示されるように、保持手段４１は、蓋体１２に第２フレーム３６を介して設けられ透光性カバー３１を引っ掛ける引っ掛け部４７と、透光性カバー３１の外周に設けられ引っ掛け部３７を受ける第１フレーム（受け部）３５とで構成される。
【００６９】
第１フレーム３５は、透光性カバー３１の内面よりも内側に突出している。第１フレーム３５の上部が受け部３５となる。引っ掛け部４７は爪形状であり、この爪形状部が受け部３５に引っ掛かることで、透光性カバー３１が蓋体１２に保持される。なお、図９、図１０の態様では、サブヒンジ２２を蝶番としたが、透光性カバー３１を開閉できれば布製ヒンジなど他の一般的なヒンジであっても差し支えない。
【００７０】
保持手段４１は、ボタン４８を押すことで引っ掛け部４７が下方に揺動し保持が解除される構造である。内部の詳細構造は省略するが、いわゆるワンタッチで引っ掛け部４７が外れる構造であれば内部構造は問わない。なお、引っ掛け部４７は、爪形状に限定されず、フック形状やリング形状でもよく、この場合保持手段４１は、フック形状やリング形状の引っ掛け部４７を、透光性カバー３１に設けた突起部に掛ける形式としても差し支えない。さらには、保持手段４１は、ホック、紐等、透光性カバー３１を蓋体１２に保持できれば保持形式は問わない。また、保持手段４１に、ダイヤル式や鍵式のロック機構を設けても差し支えない。
【００７１】
また、蓋体１２の透光性カバー３１が嵌る開口には、透光性カバー３１の上下方向中間部を保持する補助フック４９が設けられている。補助フック４９を設けることで、透光性カバー３１の上下方向中間部が撓まないように保持することができる。補助フック４９は、透光性カバー３１を所定の力で開ければ容易に外すことができる。
【００７２】
次に保持手段４１の別態様を説明する。
図１１（ａ）、図１１（ｂ）に示されるように、保持手段４１は、ボタン４８を押すことで、押し力を伝達する伝達部材４１ａが第２フレームに配置されている。伝達部材４１ａの先端には傾斜形状によって爪４１ｂを内方に押し出す押し部材４１ｃが設けられている。透光性カバー３１を閉じた状態では、第１フレーム３５の上下中間部が爪４１ｂに係止されているが、ボタン４８を押すことで伝達部材４１ａ及び押し部材４１ｃを介して爪４１ｂが移動し、係止が解除される。また、引っ掛け部材４８は付勢部材によって係止側に付勢されているが、ボタン４８を押すことで引っ掛け部４７が揺動し、第１フレーム（受け部）３５の係止も解除される。
【００７３】
次に保持手段４１のさらなる別態様を説明する。
図１１（ａ）、図１１（ｃ）に示されるように、保持手段４１は、ボタン４８を押すことで、押し力を伝達する伝達部材４１ａが第２フレームに配置されている。伝達部材４１ａの先端には伝達部材と一体に移動する爪４１ｂが設けられている。透光性カバー３１を閉じた状態では、第１フレーム３５の上下中間部の突起部４１ｄが爪４１ｂに係止されているが、ボタン４８を押すことで伝達部材４１ａを介して爪４１ｂが移動し、係止が解除される。また、引っ掛け部材４８は付勢部材によって係止側に付勢されているが、ボタン４８を押すことで引っ掛け部４７が揺動し、第１フレーム（受け部）３５の係止も解除される。
【００７４】
なお、第２フレーム３６にパッキン３６ａを設けてもよい。パッキン３６ａによって、透光性カバー３１を閉じた際の密封性や防水性を向上することができる。
【００７５】
尚、実施例では、透光性カバー３１の材質を、ポリカーボネートとしたが、これに限定されず、光を通すことができれば他の樹脂でもよく、材質を問わない。また、実施例では、ケース本体１１及び蓋体１２の材質を、ポリカーボネートとしたが、これに限定されず、他の樹脂や、金属製、布製、革製、木製等でもよく、材質は問わない。また、実施例では、トラベルケース１０の形状を縦長の箱形状としたが、これに限定されず、横長の箱形状や、縦横長さが同等の箱形状でもよく、物品を収納できれば、トラベルケース１０の形状は問わない。
【００７６】
また、実施例では、ソーラーシート５１を１枚だけ、透光性カバー３１の裏面３８に配置したが、これに限定されず、移動していない場合は、伸縮取っ手１３にフックを設け、このフックに予備のソーラーシート５１を掛けて、２枚のソーラーシート５１，５１で発電しても差し支えない。この場合は、伸縮取っ手１３をソーラーシート支持手段として使用することができ、２枚のソーラーシート５１，５１で効率よく発電することができる。
【産業上の利用可能性】
【００７７】
本考案の発電装置は、トラベルケースに好適である。
【符号の説明】
【００７８】
１０…  トラベルケース
１１…  ケース本体
１２…  蓋体
１２ｂ…正面部
１２ｃ…上縁
１２ｄ…上部延長部
１７…  蓋体の外面
２１…  布製内装部
２２…  サブヒンジ
２３…  表面
２７…  内装ポケット
２８…  開閉手段
３１…  透光性カバー
３５…  第１フレーム（保持手段、受け部）
３８…  透光性カバーの裏面
４１…  保持手段（スライドファスナー）
４７…  引っ掛け部（保持手段）
５１…  光電素子（ソーラーシート）
６０…  ポケット
６１…  補強部材
６２…  布製内装部に対向する面
７１…  保持ネット
７６…  副物品（バッテリー、携帯端末）
７７…  副物品（本、ティッシュ）
【図１】
0003202302.tif 000003
【図２】
0003202302.tif 000004
【図３】
0003202302.tif 000005
【図４】
0003202302.tif 000006
【図５】
0003202302.tif 000007
【図６】
0003202302.tif 000008
【図７】
0003202302.tif 000009
【図８】
0003202302.tif 000010
【図９】
0003202302.tif 000011
【図１０】
0003202302.tif 000012
【図１１】
0003202302.tif 000013